(57)【特許請求の範囲】
【請求項１】
ドア枠に対しヒンジを介して開閉自在に取り付けられたドア本体からなる耐震ドアであって、該ドア本体は、自由端側と上下端側とを少寸法に形成してドア枠との間に所定幅の間隙が形成できるように構成され、前記ドア本体の少なくとも自由端側の角部には、係止部材と該係止部材によって取り外し自在なコーナー部材とを設けると共に、少なくとも前記コーナー部材に隣接するドア本体の端縁には、係止部材と該係止部材を取り外すことによって前記ドア本体の内側に後退する後退手段と該後退手段に取り付けられ前記所定の間隙を埋める縁部材とを設けたことを特徴とする耐震ドア。
【請求項２】
後退手段は、前記係止部材によって前記ドア本体の内側面に固定された支持部材と、該支持部材に支持され且つバネ部材によって前記ドア本体の内側に向かって付勢された軸部材とであることを特徴とする請求項１に記載の耐震ドア。
【発明の詳細な説明】
【０００１】
【発明の属する技術分野】
本発明は、地震等によってドア枠に変形が生じ、ドア枠とドア本体とが圧着状態に陥った場合でも、ドア本体が開放不能になることを回避することのできる耐震ドアに関するものである。
【０００２】
【従来の技術】
従来、大きな地震を受けた時には、図１２に示すように、建物の壁１のひび割れや変形に伴って、ドア枠２に歪み変形が生じ、ドア枠２とドア本体３とが圧着状態になって、ドア本体３の開閉に支障が生じる場合があった。
【０００３】
特に、鉄筋コンクリート等の建物において、スチールドアやアルミドア等の金属製ドアが用いられている場合に、大きな地震を受けると、ドア枠２にドア本体３が食い込み、ドア本体３の開閉が不能になる場合が多かった。
【０００４】
【発明が解決しようとする課題】
この従来例の場合においては、地震によって人が室内に閉じ込められて、脱出が困難になり、速やかな避難行動がとれないばかりでなく、救助活動が円滑に行えないという問題点があった。
【０００５】
そして、地震によって発生した火災や、建物の二次崩落・倒壊等によって、室内に閉じ込められている人の人命が失われる危険性があるという重大な問題点を有していた。
【０００６】
また、地震後に発生した火災の消火活動にも支障をきたすという不都合があった。
【０００７】
従って、従来例における場合では、地震によってドア枠２及びドア本体３に歪み変形が生じても、ドア本体３の開閉が可能になるようにして、避難行動、及び救助活動に支障をきたさないようすることに解決しなければならない課題を有している。
【０００８】
【課題を解決するための手段】
前記従来例の課題を解決する具体的手段として本発明は、ドア枠に対しヒンジを介して開閉自在に取り付けられたドア本体からなる耐震ドアであって、該ドア本体は、自由端側と上下端側とを少寸法に形成してドア枠との間に所定幅の間隙が形成できるように構成され、前記ドア本体の少なくとも自由端側の角部には、係止部材と該係止部材によって取り外し自在なコーナー部材とを設けると共に、少なくとも前記コーナー部材に隣接するドア本体の端縁には、係止部材と該係止部材を取り外すことによって前記ドア本体の内側に後退する後退手段と該後退手段に取り付けられ前記所定の間隙を埋める縁部材とを設けたことを特徴とする耐震ドアを提供するものであり、前記後退手段は、前記係止部材によって前記ドア本体の内側面に固定された支持部材と、該支持部材に支持され且つバネ部材によって前記ドア本体の内側に向かって付勢された軸部材とである構成としたものである。
【０００９】
【発明の実施の形態】
次に、本発明を実施する一例について図面を参照しながら説明する。まず、図１において符号１１は耐震ドアを示し、この耐震ドア１１は、ドア枠１２にヒンジ１３を介して開閉自在に取り付けられたドア本体１４と、このドア本体１４の少なくとも自由端側の角部１５に設けられたコーナー部材１６と、少なくともコーナー部材１６に隣接するドア本体１４の端縁１７に沿って設けられた縁部材１８と、ドア本体１４の支持端側の角部１５に設けられたコーナー部材１６ａとから構成される。
【００１０】
ドア本体１４は、上端側、下端側、及び自由端側を少寸法に形成し、前記ドア枠１２との間に所定幅の間隙が形成できるように構成されている。
【００１１】
コーナー部材１６及びコーナー部材１６ａは、ドア本体１４と略同一の幅を有し、また、ドア本体１４の角部１５の形状に沿って形成されている。そして、コーナー部材１６及びコーナー部材１６ａは、図２に示すように、角部１５と沿う側に段部１９が形成され、この段部１９とドア本体１４の角部１５に形成された段部２０とが嵌合状態に取り付けられている。
【００１２】
そして、前記段部１９の内側は、第１チャンネル部材２１及び第１アングル部材２２で補強されており、また、角部１５の段部２０の内側も第２チャンネル部材２３及び第２アングル部材２４で補強されている。
【００１３】
更に、前記段部１９及び段部２０には、ドア本体１４の外側１４ａから、第２アングル部材２４と第１アングル部材２２とを貫いた状態でネジ等の係止部材２５が嵌め込まれている。この係止部材２５の先端は、前記段部１９の内側においてナット２６が螺着されていると共に、後端は、摘み２５ａが形成されている。尚、係止部材２５は、ドア本体１４の室内側から嵌め込まれている。これは、後述するようにコーナー部材１６は取り外すことができるので、平常時に第三者が室外側から取り外すことができないように、防犯上の理由からである。
【００１４】
縁部材１８は、ドア本体１４の上端側、下端側、及び自由端側に設けられており、即ち、耐震ドア１１の端縁をなす。
【００１５】
そして、縁部材１８は、図３に示すように、断面コ字状の外枠部材２７と、この外枠部材２７の内側に重なった状態に設けられた第３チャンネル部材２８と、この第３チャンネル部材２８の内側に取り付けられたフラットバー２９とからなる。
【００１６】
一方、ドア本体１４の端縁１７近傍における内側には、第４チャンネル部材３１が配設され、更に、この第４チャンネル部材３１に隣接して、第５チャンネル部材３２が設けられている。この第５チャンネル部材３２の両端部３２ａ、３２ａは、ドア本体１４の内側面３０、３０との間に所定の空間部３３を有して配設されており、この空間部３３は、前記第３チャンネル部材２８の両端部２８ａ、２８ａが後退する時に案内溝の役割を有する。
【００１７】
前記フラットバー２９の長さ方向における少なくとも２ヶ所以上の適宜の位置には、固定用ナット３４が固定して取り付けられており、この固定用ナット３４には、フラットバー２９を貫通した状態で軸部材３５が固着されている。そして、この軸部材３５は、前記第５チャンネル部材３２及び第４チャンネル部材３１を貫通して取り付けられている。
【００１８】
この軸部材３５の他端側には、係止用ナット３６が固着されており、この係止用ナット３６は、断面Ｌ字状の支持部材３７に支持されている。この支持部材３７は、ドア本体１４の外側１４ａから嵌め込まれたネジ等の係止部材３８によって内側面３０に固定されている。尚、符号３８ａは、係止部材３８を廻すための摘みである。
【００１９】
更に、軸部材３５には、前記第４チャンネル部材３１と係止用ナット３６との間にバネ部材３９が配設されており、従って、この係止用ナット３６及び軸部材３５は、常にドア本体１４の内側に向かって（図３中矢印方向）付勢された状態になっている。尚、図３中４０は、第５チャンネル部材３２の貫通穴を補強するための補強部材であり、この第５チャンネル部材３２に固定されている。
【００２０】
また、前記係止部材３８は、ドア本体１４の室内側から嵌め込まれている。これは、後述するように縁部材１８は後退させることができるので、平常時に第三者が室外側から後退されることができないように、防犯上の理由からである。
【００２１】
次に、この耐震ドア１１のドア枠１２とドア本体１４との間に隙間を設ける方法について説明する。まず、コーナー部材１６及びコーナー部材１６ａを取り外す場合には、図４に示すように、指で摘み２５ａを廻して係止部材２５を矢印Ａ方向に取り外す。この後、室内側からコーナー部材１６及びコーナー部材１６ａを押し出せば、矢印Ｂのように脱落する。
【００２２】
更に、縁部材１８を後退させる場合には、図５に示すように、指で摘み３８ａを廻して係止部材３８を矢印Ｃ方向に取り外すと、支持部材３７が矢印Ｄのように脱落し、この支持部材３７に支持されている係止用ナット３６及び軸部材３５は、バネ部材３９の付勢力によってドア本体１４の内側に後退する。そして、この軸部材３５に固着されている固定用ナット３４は、フラットバー２９と共に後退するのである。
【００２３】
このようにフラットバー２９が後退すると、第３チャンネル部材２８が一緒に後退し、この第３チャンネル部材２８の両端部２８ａ、２８ａは、前記空間部３３、３３を案内されてドア本体１４の内側に後退し、従って、外枠部材２７は、図５に示す矢印Ｅ方向に後退するのである。
【００２４】
次に、図６から図９に第２実施例を示す。この第２実施例において、前記第１実施例と同一部分には同一符号を付してその詳細は省略する。この第２実施例は、前記第１実施例の係止部材２５、及び係止部材３８を各々改良したものである。
【００２５】
即ち、係止部材２５ｂ、及び３８ｂは、プラスチック等の合成樹脂で形成されており、先端には、膨出部２５ｃ、及び膨出部３８ｃが各々設けられ、そして、この膨出部２５ｃ、膨出部３８ｃは、各々破断し易い強度に形成されている。また、後端には、指を掛けて引っ張るリング状部２５ｄ、及びリング状部３８ｄが各々設けられている。
【００２６】
従って、リング状部２５ｄ、又はリング状部３８ｄに指を掛け、各々矢印Ａ方向、又は矢印Ｃ方向に引っ張ると、膨出部２５ｃ、３８ｃが破断して、図８、図９に示すように、係止部材２５ｂ、及び係止部材３８ｂを引き抜くことができるのである。
【００２７】
以上のように、コーナー部材１６及びコーナー部材１６ａを取り外し、縁部材１８を後退させることができるので、地震等によってドア枠１２に変形が生じ、ドア枠１２と耐震ドア１１とが圧着状態に陥った場合でも、図１０に示すように、ドア枠１２とドア本体１４との間に隙間４１を設けることができ、ドア本体１４が開放不能になることがないのである。尚、縁部材１８は、コーナー部材１６と同様に取り外す構成にしても良い。
【００２８】
更に、図１１に第３実施例を示す。この第３実施例において、前記第１実施例と同一部分には同一符号を付してその詳細は省略する。この第３実施例は、本発明に係る耐震ドア１１の一部に避難用くぐり戸４２が設けられており、万一、耐震ドア１１が変形して開かない場合にも、この避難用くぐり戸４２から避難ができるのである。尚、図中符号４３は、補強部材を示し、この補強部材４３によって、避難用くぐり戸４２の変形を防止するのである。
【００２９】
【発明の効果】
以上説明したように本発明に係る耐震ドアは、ドア枠に対しヒンジを介して開閉自在に取り付けられたドア本体からなる耐震ドアであって、該ドア本体は、自由端側と上下端側とを少寸法に形成してドア枠との間に所定幅の間隙が形成できるように構成され、前記ドア本体の少なくとも自由端側の角部には、係止部材と該係止部材によって取り外し自在なコーナー部材とを設けると共に、少なくとも前記コーナー部材に隣接するドア本体の端縁には、係止部材と該係止部材を取り外すことによって前記ドア本体の内側に後退する後退手段と該後退手段に取り付けられ前記所定の間隙を埋める縁部材とを設けたことによって、地震によってドア枠に変形が生じ、ドア枠とドア本体とが圧着状態に陥った場合でも、コーナー部材を取り外して、縁部材を後退させることにより、ドア枠とドア本体との間に隙間を設けることができるので、ドア本体を容易に開閉することができるという優れた効果を奏する。
【００３０】
また、後退手段は、前記係止部材によって前記ドア本体の内側面に固定された支持部材と、該支持部材に支持され且つバネ部材によって前記ドア本体の内側に向かって付勢された軸部材とであることによって、係止部材を取り外せば、バネ部材の付勢力により縁部材をスムーズに後退させることができるので、ドア枠とドア本体との間に素早く隙間を設けることができるという優れた効果を奏する。
【図面の簡単な説明】
【図１】本発明に係る耐震ドアの正面図である。
【図２】図１のＡ−Ａ線、及びＣ−Ｃ断面図である。
【図３】図１のＢ−Ｂ線断面図である。
【図４】本発明に係る耐震ドアのコーナー部材を取り外した状態を示す要部断面図である。
【図５】本発明に係る耐震ドアの縁部材を後退させた状態を示す要部断面図である。
【図６】本発明に係る第２実施例の耐震ドアの要部断面図である。
【図７】本発明に係る第２実施例の耐震ドアの要部断面図である。
【図８】本発明に係る第２実施例の耐震ドアの要部断面図である。
【図９】本発明に係る第２実施例の耐震ドアの要部断面図である。
【図１０】本発明に係る耐震ドアのコーナー部材を取り外し、縁部材を後退させた状態を示す正面図である。
【図１１】本発明に係る第３実施例の耐震ドアを示す正面図である。
【図１２】従来例に係るドアの地震の被害を受けた状態を示す説明図である。
【符号の説明】
１    壁
２    ドア枠
３    ドア本体
１１  耐震ドア
１２  ドア枠
１３  ヒンジ
１４  ドア本体
１４ａ外側
１５  角部
１６  コーナー部材
１６ａコーナー部材
１７  端縁
１８  縁部材
１９  段部
２０  段部
２１  第１チャンネル部材
２２  第１アングル部材
２３  第２チャンネル部材
２４  第２アングル部材
２５  係止部材
２５ａ摘み
２５ｂ係止部材
２５ｃ膨出部
２５ｄリング状部
２６  ナット
２７  外枠部材
２８  第３チャンネル部材
２８ａ両端部
２９  フラットバー
３０  内側面
３１  第４チャンネル部材
３２  第５チャンネル部材
３２ａ両端部
３３  空間部
３４  固定用ナット
３５  （後退手段を構成する）軸部材
３６  係止用ナット
３７  （後退手段を構成する）支持部材
３８  係止部材
３８ａ摘み
３８ｂ係止部材
３８ｃ膨出部
３８ｄリング状部
３９  （後退手段を構成する）バネ部材
４０  補強部材
４１  隙間
４２  避難用くぐり戸
４３  補強部材
【図１】
0003604457.tif 000002
【図２】
0003604457.tif 000003
【図３】
0003604457.tif 000004
【図４】
0003604457.tif 000005
【図５】
0003604457.tif 000006
【図６】
0003604457.tif 000007
【図７】
0003604457.tif 000008
【図８】
0003604457.tif 000009
【図９】
0003604457.tif 000010
【図１０】
0003604457.tif 000011
【図１１】
0003604457.tif 000012
【図１２】
0003604457.tif 000013